(57)【要約】【課題】バックライトに用いる複数の光源（蛍光管など）の駆動電力を均一に制御することにより、各光源の輝度差を解消して画面全体の輝度を均一化できるようにする。【解決手段】バックライトユニットは、互いに略平行に配置された複数の蛍光管２１、各蛍光管２１に電力を供給して各蛍光管２１を点灯駆動させるインバータ回路２８、インバータ回路２８により点灯駆動された各蛍光管２１から出力される管電流を検出し、検出した各蛍光管２１の管電流を平均化して平均管電流を算出する平均管電流算出手段６、算出した平均管電流に応じてインバータ回路２８の出力電力を制御するための電力制御手段７を備える。各蛍光管２１の管電流は、各蛍光管２１と直列接続されたインピーダンスとの間で分圧された電圧値を元に算出された電圧値であって、平均管電流算出手段６は、各蛍光管２１から分圧された電圧値に対して、平均化した電圧値を算出する。【選択図】図２
2005353479.tif 000002
【特許請求の範囲】
【請求項１】
複数の光源と、該複数の各光源に電力を供給して該各光源を点灯駆動させるための駆動手段と、該駆動手段により点灯駆動された前記各光源から出力される物理量を検出する検出手段とを備えたバックライトユニットにおいて、前記検出手段により検出された前記各光源の物理量を平均化して平均化物理量を算出するための平均化物理量算出手段と、該平均化物理量に応じて前記駆動手段の出力電力を制御するための電力制御手段とを備えていることを特徴とするバックライトユニット。
【請求項２】
請求項１に記載のバックライトユニットにおいて、前記各光源の物理量は、該各光源と直列接続されたインピーダンスとの間で分圧された電圧値を元に算出された電圧値であって、前記平均化物理量算出手段は、前記各光源から分圧された電圧値に対して、平均化した電圧値を算出することを特徴とするバックライトユニット。
【請求項３】
複数の光源と、該複数の各光源の両端電極に互いに逆位相の電圧を印加して前記各光源を点灯駆動させるための複数の駆動手段と、該駆動手段により点灯駆動された前記各光源から出力される物理量を検出する検出手段とを備えたバックライトユニットにおいて、前記検出手段により検出された前記各光源の物理量を平均化して平均化物理量を算出するための平均化物理量算出手段と、該平均化物理量に応じて前記複数の駆動手段の出力電力を制御するための電力制御手段とを備えていることを特徴とするバックライトユニット。
【請求項４】
請求項１乃至３のいずれか１に記載のバックライトユニットにおいて、前記複数の光源は蛍光管であって、前記バックライトユニットは前記複数の蛍光管を互いに略平行に配置した直下式バックライトであることを特徴とするバックライトユニット。
【請求項５】
請求項1乃至４のいずれか１に記載のバックライトユニットにおいて、前記駆動手段は、他励式インバータであることを特徴とするバックライトユニット。
【請求項６】
請求項１乃至５のいずれか１に記載のバックライトユニットを備えた液晶表示装置。
【発明の詳細な説明】
【技術分野】
【０００１】
本発明は、バックライトユニット及び液晶表示装置、より詳細には、バックライトに用いる複数の光源の駆動電力を均一に制御することにより、各光源の輝度を均一化できるようにしたバックライトユニット及び液晶表示装置に関する。
【背景技術】
【０００２】
従来、バックライトに用いる光源として蛍光管の駆動電力を制御する技術に関して、例えば、特許文献１には、互いに並列配置された複数本の蛍光管のそれぞれに流れた管電流を管電流検出回路５で加算処理して、この合計した総管電流値に相当した直流電圧値をスイッチング回路２のレギュレータＩＣに伝達することにより、スイッチング回路２からインバータ３に出力される電力を適当に制御するようにしたものが開示されている。つまり、管電流検出回路５では、蛍光管４のインピーダンスと抵抗Ｒ１１との間で分圧された交流電圧が入力された後に、ダイオードＤ２での半波整流処理、及びコンデンサＣ９での定電圧処理を経ることにより、総管電流に対し相関関係を有した電圧値を演算することが可能となる。そしてこの電圧値をスイッチング回路２が検出した結果に基づいてインバータ３の電力を制御する。
【０００３】
また、特許文献２には、インバータから印加された交流電圧に対し、蛍光管３，４のそれぞれに対して直列に抵抗７、８を配置し、蛍光管と抵抗によって分圧された交流電圧を整流及び定電圧化処理を施して得た各所定電圧値をコンパレータの正入力端子に接続されることによって蛍光管が正常に点灯しているか否かを判断するようにしたものが開示されている。
【特許文献１】特開平４−５０８１５号公報
【特許文献２】特開平３−１１８５１４号公報
【発明の開示】
【発明が解決しようとする課題】
【０００４】
ここで、液晶表示装置のバックライトとして複数の蛍光管を用いる場合は、低温環境下においても、たとえ１本の蛍光管でも不点灯となることは、製品の品質上許されるものではない。上記特許文献１及び２に記載の発明は、このような課題に対して、蛍光管の駆動電圧が周囲温度によって変動した場合でもインバータ回路の電力を制御することにより、蛍光管の不点灯を防止できるようにしたものである。
【０００５】
しかしながら、これらの従来技術は、製品の電力のばらつきを安定化させ、あるいは、同一の製品間における電力のばらつきを抑制するなどの課題に対して、バックライトに安定した駆動電力を供給するために電力制御を行うものではない。特に、液晶表示装置のバックライトに供給される電力は、そのサイズが大型化されるにつれて、蛍光管のインピーダンスのばらつきなどから蛍光管に正確に入力された電力を算出するのは困難である。
【０００６】
さらに近年、大型（例えば３０型以上の画面サイズ）の液晶テレビジョン装置に採用されるバックライトの点灯方式は、テレビジョン装置に求められる画面輝度や表示装置全体の重量の軽量化という観点から、複数（例えば十数本程度）の蛍光管を平行に並べて配置したいわゆる直下式バックライトを採用することが一般的になりつつある。従って、この直下式バックライトには、多数の蛍光管を互いに平行配置するという光学設計の必然性から、これら多数の蛍光管を一度に点灯させる程度の大電力供給が要求される。しかしながら、その一方で、前述した各蛍光管のインピーダンスのばらつきなどの原因から、蛍光管の必要とされる本数が多ければ、その本数分だけバックライトに供給される電力もばらつき易くなる。
【０００７】
さらに、より大型（例えば４０型以上の画面サイズ）の液晶テレビジョン装置には、直線状の一本の蛍光管に対し、両端の電極に印加される交流電圧が互いに逆位相の関係を有するように構成されるツインインバータ方式が採用されることも少なくない。この場合においても、互いの電極に印加される交流電圧が常に均等になるように互いのインバータ回路の出力電力の平衡状態を保持するように設計する必要がある。互いのインバータ回路の位相が合っていたとしても、いずれか一方が比較的低出力になると蛍光管全体に対する輝度の均一性を維持できなくなることもある。
【０００８】
本発明は、上述のごとき実情に鑑みてなされたものであり、バックライトに用いる複数の光源（蛍光管など）の駆動電力を均一に制御することにより、各光源の輝度差を解消して画面全体の輝度を均一化できるようにすること、
また、液晶パネルの画面サイズが大型化されても、それに応じた長尺の直線形状を有する複数の各光源の両端電極に均一な駆動電力を与えることにより、各光源の両端電極付近の輝度差を解消して画面全体の輝度を均一化できるようにすること、を目的としてなされたものである。
【課題を解決するための手段】
【０００９】
上記課題を解決するために、第１の技術手段は、複数の光源と、該複数の各光源に電力を供給して該各光源を点灯駆動させるための駆動手段と、該駆動手段により点灯駆動された前記各光源から出力される物理量を検出する検出手段とを備えたバックライトユニットにおいて、前記検出手段により検出された前記各光源の物理量を平均化して平均化物理量を算出するための平均化物理量算出手段と、該平均化物理量に応じて前記駆動手段の出力電力を制御するための電力制御手段とを備えていることを特徴としたものである。
【００１０】
また、第２の技術手段は、第１の技術手段において、前記各光源の物理量は、該各光源と直列接続されたインピーダンスとの間で分圧された電圧値を元に算出された電圧値であって、前記平均化物理量算出手段は、前記各光源から分圧された電圧値に対して、平均化した電圧値を算出することを特徴としたものである。
【００１１】
また、第３の技術手段は、複数の光源と、該複数の各光源の両端電極に互いに逆位相の電圧を印加して前記各光源を点灯駆動させるための複数の駆動手段と、該駆動手段により点灯駆動された前記各光源から出力される物理量を検出する検出手段とを備えたバックライトユニットにおいて、前記検出手段により検出された前記各光源の物理量を平均化して平均化物理量を算出するための平均化物理量算出手段と、該平均化物理量に応じて前記複数の駆動手段の出力電力を制御するための電力制御手段とを備えていることを特徴としたものである。
【００１２】
また、第４の技術手段は、第１乃至第３のいずれか１の技術手段において、前記複数の光源は蛍光管であって、前記バックライトユニットは前記複数の蛍光管を互いに略平行に配置した直下式バックライトであることを特徴としたものである。
【００１３】
また、第５の技術手段は、第１乃至第４のいずれか１の技術手段において、前記駆動手段は、他励式インバータであることを特徴としたものである。
【００１４】
また、第６の技術手段は、第１乃至第５のいずれか１のバックライトユニットを備えた液晶表示装置である。
【発明の効果】
【００１５】
バックライトに用いる複数の光源（蛍光管など）の駆動電力を均一に制御することにより、各光源の輝度差を解消して画面全体の輝度を均一化することができる。
また、液晶パネルの画面サイズが大型化されても、それに応じた長尺の直線形状を有する複数の光源の両端電極に均一な駆動電力を与えることにより、各光源の両端電極付近の輝度差を解消して画面全体の輝度を均一化することができる。
【発明を実施するための最良の形態】
【００１６】
本発明によるバックライトユニット及び液晶表示装置の各実施形態の一例を図１乃至図８に基づいて以下に説明する。
図１は、本発明による直下式バックライトユニットを用いた液晶表示装置の一実施形態を示す構成断面図で、本液晶表示装置は、主な構成として、液晶パネル１及びバックライトユニット２を備えている。液晶パネル１は、映像信号処理された映像情報を液晶パネル１のクロック信号に応じて画素毎に所定の階調電圧として給電し画面上に線順次走査による画像表示処理を施すことで画面全体として所定の映像情報を表示し、バックライトユニット２は、この液晶パネル１の視聴方向に対し反対側から光を照射する。このバックライトユニット２の光源としては、例えば、蛍光管や，ＬＥＤ，ＥＬなどが好適であるが、以下の説明では複数の蛍光管を互いに略平行になるように配置した直下式バックライトに適用した場合を代表例として説明する。
【００１７】
バックライトユニット２の構造としては、液晶パネル１に光を供給するための複数の蛍光管２１、各蛍光管２１から発光した光を液晶パネル１側に有効に照射するための反射シート又は反射板（以下、反射シートで代表する）２２、そして、これらを収納するための筐体２３から構成される。そして、筐体２３の背面（すなわち、蛍光管２１の設置面の反対面）にはインバータ回路を搭載するためのインバータ回路基板２８（以下、しばしば単にインバータ回路２８という）が筐体２３の背面に平行に、かつ、蛍光管２１の電極付近に配置される。このインバータ回路基板２８上には、各蛍光管２１に電力を供給する昇圧回路としてインバータトランス２９が設けられ、このインバータトランス２９は、例えば２つのコイルの電磁誘導効果によって互いにのコイルの巻き数比に基づいて変圧する巻線型であってもよい。
【００１８】
インバータ回路２８には、他励式インバータを好適に適用することができる。一般に、他励式インバータは、一次側の駆動回路に発振回路があり、この発振回路の駆動周波数と同じ周波数の交流に変換するもので、この他励式インバータを上記のような巻線型のインバータトランス２９の駆動に利用することにより、巻線型でありながら圧電型インバータを超える小型で高効率化されたインバータが実現されている。
【００１９】
液晶パネル１は、液晶層を挟んだ２枚の直交ニコルの関係を有した偏光板付ガラス基板からなり、この液晶パネル１を厚み方向に対し２枚のフレーム３，４で固定保持する。そして、図１に示すように、フレーム３，４は、バックライトユニット２の全体を覆うように、略Ｌ字型に折れ曲がった構造を有している。
【００２０】
バックライトユニット２を構成する蛍光管２１は、直線形状のほかに、Ｕ字型又はコの字型の形状としてもよく、全ての蛍光管２１がその直線部分が互いに平行に配置される。反射シート２２の形状は、平面状に構成されても良いが、バックライトユニット２の全体の厚みが要求される際は、その形状を図１に示すように山形の断面形状とし、その山の頂角が略直角になる構造で構成したほうがより好ましい。
【００２１】
更に、必要とされる各種光学性能に応じて、複数本の蛍光管２１によって構成される面光源に対し、蛍光管２１の配置位置とそれ以外の位置との輝度差を緩和するための拡散板２４、そして、要求される使用形態に対し最適な配光特性を供給するための拡散シート２５、特定方向の光を集光するためのプリズムシート２６、特定方向の光の偏波を選択的に透過かつ反射して液晶パネル１に入射する光の偏光度を向上させるための反射偏光板２７などで構成しても良い。これらの各種光学部材（拡散板２４，拡散シート２５，プリズムシート２６，反射偏光板２７など）は板状又はシート状の構成とし、蛍光管２１と液晶パネル１との間に配置されている。
【００２２】
そして、蛍光管２１は、バックライトユニット２の背面に平行に配置されたインバータ回路２８から電極へ供給される高圧交流電圧によって蛍光管２１内の水銀を励起し、そのエネルギー準位によって紫外線付近の光を発光し、この紫外光によって蛍光管２１の赤，青，緑の３色の蛍光体が発光し、これらの発光色の混色によって白色光を供給する。こうして発光した白色光は前述の各種光学部材によってその配光特性が各々制御され、液晶パネル１に有効に光を供給することが可能となる。このバックライトユニット２からの光供給によって液晶パネル１の各画素では所定の階調電圧に応じた光透過率によって各画素の明るさが制御されるので映像情報を画面上に表示することが可能となる。
【００２３】
（第１の実施形態）
図２は、図１に示したバックライトユニット２の第１の実施形態における構成例を示すブロック図で、バックライトユニット２は、主に、インバータ回路２８に電源供給するための電源５、インバータ回路２８、蛍光管２１ａ，２１ｂ，２１ｃ（しばしば、ＣＦＬ２１で代表する）、平均管電流検出手段６、電力制御手段７で構成されている。尚、本実施形態では、ＣＦＬ２１を３本設けた場合を代表例として説明するが、蛍光管２１の本数はこれに限定されず、液晶表示装置の画面サイズ等に応じて適宜決めればよい。
【００２４】
インバータ回路２８は、主に、一対のトランジスタ又はＦＥＴ等で構成されるスイッチング回路２８１、スイッチング回路２８１によって回路内に流れる電流が正逆方向に変動することで交流電圧を発生し、各蛍光管２１ａ，２１ｂ，２１ｃに対応して電力供給する昇圧回路２８２ａ，２８２ｂ，２８２ｃ（しばしば、昇圧回路２８２で代表する）で構成される。この昇圧回路２８２としては、例えば、２つのコイルの電磁誘導効果によって互いのコイルの巻き数比に基づいて変圧するトランスなどが適している。
【００２５】
平均管電流検出手段６は、各ＣＦＬ２１ａ，２１ｂ，２１ｃの管電流値に応じた管電流信号をもとに平均管電流値を演算して出力するためのもので、具体的構成例として、図２に示すように、各ＣＦＬ２１ａ，２１ｂ，２１ｃに対応した分圧手段６１ａ，６１ｂ，６１ｃ（しばしば、分圧手段６１で代表する）、整流平滑回路６２、平均管電流検出回路６３で構成され、より具体的には図３に示すような回路で構成される。
【００２６】
図３（Ａ）は、本発明によるバックライトユニット２における平均管電流検出手段６の詳細構成例を示すブロック図で、図３（Ｂ）は、その等価回路の一例を示す図である。
図３（Ａ）において、平均管電流検出手段６の分圧手段６１としては、各ＣＦＬ２１に対して直列接続されたインピーダンスＲ１〜Ｒ３が配置され、これらのインピーダンスとＣＦＬとの間に位置する分圧された交流電圧を管電流信号ラインとして抽出する。
【００２７】
そして、分圧された管電流信号に対し整流平滑化するための整流平滑回路６２としては、半波整流処理を施すダイオードＤ１〜Ｄ３と半波整流された管電流信号を直流電圧化するための平滑化回路としてのキャパシタＣ１〜Ｃ３とで構成される。
【００２８】
そして、これらの各管電流信号に対し平均化管電流値を検出するための平均管電流検出回路６３は、全インピーダンス特性が等しいインピーダンスＲ４〜Ｒ６を介して、全ての管電流信号ラインを接続するように構成される。この構成によって平均管電流値が検出される理由は以下のとおりである。
【００２９】
各ＣＦＬ２１ａ，２１ｂ，２１ｃの管電流信号として抽出されたその電圧値をそれぞれＶ１，Ｖ２，Ｖ３（交流、直流を問わない）とし、一方、平均管電流検出回路６３において配置された各インピーダンスＲ４〜Ｒ６（インピーダンス値は全てＲとする）の電力制御手段７に向かって流れる方向を正とした電流値をそれぞれｉ１，ｉ２，ｉ３とする。そして、電力制御手段７に印加される電圧値をＶｓｅｎとする。
【００３０】
このとき、平均管電流検出手段６３から電力制御手段７に入力される端子に係る負荷は無限大になるため、流れる電流値は限りなく０に近くなる。このため、図３（Ｂ）に示すような等価回路を構成すると考えてよい。このような等価回路を元に平均管電流検出回路６３に入力される電圧値Ｖｓｅｎを求めるために、キルヒホッフの法則にしたがって以下の計算式を導き出せる。
【００３１】
第一法則：      ｉ１  ＋  ｉ２  ＋  ｉ３  ＝  ０        ・・・（１）
第二法則：      ｉ１  ＝  （Ｖ１  −  Ｖｓｅｎ）／Ｒ    ・・・（２−１）
ｉ２  ＝  （Ｖ２  −  Ｖｓｅｎ）／Ｒ    ・・・（２−２）
ｉ３  ＝  （Ｖ３  −  Ｖｓｅｎ）／Ｒ    ・・・（２−３）
【００３２】
上記式（１）に対し、式（２−１）〜（２−３）を代入して、Ｖｓｅｎについての電圧値を求めると、以下の式（３）を導き出せる。
Ｖｓｅｎ  ＝  （Ｖ１  ＋  Ｖ２  ＋  Ｖ３）／３・・・（３）
【００３３】
つまり、インピーダンスＲ４〜Ｒ６のインピーダンス値が全て等しいことにより、平均管電流信号としてこの電圧値Ｖｓｅｎが出力されることになるので、電力制御手段７にはそれに応じた電圧値が入力されることになる。そして、その電圧値に応じてインバータ回路２８の電力制御がなされる。以上の演算結果によって電力制御手段７には演算された平均管電流信号が電圧値として送出され、その平均管電流信号に応じてインバータ回路２８の電力制御を行うことが可能となる。
【００３４】
尚、コンデンサ及びダイオードで構成される整流平滑回路６２については必要に応じて設けるようにしても良い。つまり、この整流平滑回路６２は、管電流信号を直流電圧値に変換するために設けた手段であり、管電流信号を交流電圧波形として全て処理を行う場合には別段必要とされるものではないからである。
【００３５】
本発明によると、平均管電流信号に基づいて、バックライトに用いる複数の光源（蛍光管など）の駆動電力を均一に制御することにより、各光源の輝度差を解消して画面の輝度を均一化させ、且つ、液晶表示装置間における光源の駆動電力のばらつきも抑制することができるため、装置間の輝度を均一化することができる。
【００３６】
（第２の実施形態）
図４は、図１に示したバックライトユニット２の第２の実施形態における構成例を示すブロック図で、図５は、インバータ回路２８の２次側回路の等価回路の一例を示す図である。本実施形態に示すバックライトユニット２の基本的構成は、前述の第１の実施形態に示したバックライトユニット２と同様であって、すなわち、インバータ回路２８に電源供給するための電源５、インバータ回路２８、ＣＦＬ２１、平均管電流検出手段６、電力制御手段７で構成されている。
【００３７】
第１の実施形態に示したバックライトユニット２との違いは、平均管電流検出手段６の接続位置にある。つまり、分圧手段６１のインピーダンスＲ１〜Ｒ３が、それぞれ昇圧回路２８２であるインバータトランスの二次側巻線（出力側の巻線）とＧＮＤとの間に接続される構成としている。そもそも、分圧手段６１にあるインピーダンスＲ１〜Ｒ３に印加される電圧特性は、図５に示すように、ＣＦＬ２１、昇圧回路２８２の二次側巻線２８２Ａ、そしてインピーダンスＲ自身から構成される閉回路によって決定されるので、分圧手段６１に係る負荷特性を検出することができれば、第１の実施形態と同様の管電流信号を検出していることになるからである。したがって、このような分圧手段６１の構成としても、第１の実施形態と同様にＣＦＬ２１に流れる管電流値を示す管電流信号を抽出することが可能となる。
【００３８】
そして、このような構成にもとづいたバックライトユニット２によって、ＣＦＬ２１のＧＮＤ側に直接インピーダンスを配置するための基板を別段設ける必要がなくなり、かつ、これらを含めた平均管電流検出手段６の回路を、インバータ回路を含むインバータ回路基板２８に搭載することができるので、基板点数の削減による生産効率の向上を見込むことが可能となる。
【００３９】
（第３の実施形態）
図６は、図１に示したバックライトユニット２の第３の実施形態における構成例を示すブロック図で、図７は、２つのインバータ回路２８の２次側回路の等価回路の一例を示す図である。本実施形態に示すバックライトユニット２の基本的構成は、電源５、ＣＦＬ２１ａ，２１ｂの各ＣＦＬ２１に対してその１対の電極に入力される高圧交流電圧が互いに逆位相の関係を維持するように制御された２つのインバータ回路２８ａ，２８ｂ、これら２つのインバータ回路２８ａ，２８ｂによって駆動する各ＣＦＬ２１の管電流値を検出してこの検出した管電流値を元に平均管電流値を算出して平均管電流信号を出力するための平均管電流検出手段６、そして算出した平均管電流信号の信号値に応じて互いの２つのインバータ回路２８ａ，２８ｂが出力する電力を制御するための電力制御手段７、２つのインバータ回路２８ａ，２８ｂに対して位相制御を行う同期反転手段８で構成される。
【００４０】
図７において、本実施形態によるＣＦＬ２１を含めた高圧側の閉回路を示し、つまり、二次側の回路構成は、互いに交流出力電圧の位相が異なる２つの昇圧回路２８２の二次巻線（２８２Ａ，２８２Ｂ）、これら二次巻線のそれぞれが一対の電極に接続されたＣＦＬ２１、そして２つの分圧手段６１ａ，６１ｂに備えられたインピーダンスによって閉回路を形成している。そして、この２つの分圧手段６１ａ，６１ｂが構成するインピーダンスに印加された交流電圧値のそれぞれを管電流信号として抽出して平均管電流検出回路６３に伝達することによって、平均管電流信号を算出出力することが可能となる。この際、分圧手段６１は昇圧回路２８２の二次側巻線とＧＮＤの間に設けるようにする。
【００４１】
この結果、算出された平均管電流信号によって電力制御手段７が制御されるが、このとき電力制御手段７は、ＣＦＬ２１に係る電力のバランスの平衡を維持するために、互いのインバータ回路２８の出力を同じになるように制御したほうがよい。これにより、直線状の長尺の蛍光管を両電極間で均一に発光させることが可能となる。
【００４２】
図８は、図７に示したバックライトユニット２の蛍光管２１及びインバータ回路２８を液晶表示装置に実装したときの背面図を示す。このバックライトユニット２を背面視した図８を元に説明すると、直線状の複数本のＣＦＬ２１を画面に対して平行かつ水平に揃えて配置することで画面の右側辺部と左側辺部とに電極をそれぞれ集約し、インバータ回路を実装したインバータ回路基板２８を、右側辺部または左側辺部に集約された電極に対してそれぞれ接続している。
【００４３】
本発明によると、前述の第１及び第２の実施形態が奏する効果に加えて、さらに、液晶パネルの画面サイズが大型化された場合でも、それに応じて長尺の直線形状を有する複数の光源（蛍光管など）の両端電極に均一な駆動電力が与えられるため、各光源の両端電極付近の輝度差を解消して画面の輝度を均一化することができる。
【図面の簡単な説明】
【００４４】
【図１】本発明による直下式バックライトユニットを用いた液晶表示装置の一実施形態を示す構成断面図である。
【図２】図１に示したバックライトユニットの第１の実施形態における構成例を示すブロック図である。
【図３】本発明によるバックライトユニットにおける平均管電流検出手段の詳細構成例を示すブロック図である。
【図４】図１に示したバックライトユニットの第２の実施形態における構成例を示すブロック図である。
【図５】インバータ回路の２次側回路の等価回路の一例を示す図である。
【図６】図１に示したバックライトユニットの第３の実施形態における構成例を示すブロック図である。
【図７】２つのインバータ回路の２次側回路の等価回路の一例を示す図である。
【図８】図７に示したバックライトユニットの蛍光管及びインバータ回路を液晶表示装置に実装したときの背面図を示す。
【符号の説明】
【００４５】
１…液晶パネル、２…バックライトユニット、３，４…フレーム、５…電源、６…平均管電流検出手段、７…電力制御手段、８…同期／反転手段、２１，２１ａ，２１ｂ，２１ｃ…蛍光管（ＣＦＬ）、２２…反射シート、２３…筐体、２４…拡散板、２５…拡散シート、２６…プリズムシート、２７…反射偏光板、２８，２８ａ，２８ｂ…インバータ回路、２９…インバータトランス、６１，６１ａ，６１ｂ，６１ｃ…分圧手段、６２…整流平滑回路、６３…平均管電流検出回路、２８１…スイッチング回路、２８２，２８２ａ，２８２ｂ，２８２ｃ…昇圧回路。
【図１】
2005353479.tif 000003
【図２】
2005353479.tif 000004
【図３】
2005353479.tif 000005
【図４】
2005353479.tif 000006
【図５】
2005353479.tif 000007
【図６】
2005353479.tif 000008
【図７】
2005353479.tif 000009
【図８】
2005353479.tif 000010